(57)【要約】  本発明のルアー１Ａは、ボディ２と、前記ボディ２から突設されたリップ部３と、を有し、前記リップ部３に、ホログラムシート４が具備されている。水中で潜行するルアー１Ａのホログラムシート４が光を反射するので、対象魚がルアー１Ａに誘引され易くなる。
2019220602.tif 000002
【特許請求の範囲】
【請求項１】
ボディと、
前記ボディから突設されたリップ部と、を有し、
前記リップ部に、ホログラムシートが具備されている、ルアー。
【請求項２】
前記リップ部の主部が透明であり、
前記ホログラムシートが透明であり、
前記透明なリップ部の主部に、前記透明なホログラムシートが取り付けられている、請求項１に記載のルアー。
【請求項３】
前記リップ部の主部が、前記ボディの前方部から突設されており、
前記ホログラムシートが、前記リップ部の主部の表面に取り付けられている、請求項１または２に記載のルアー。
【請求項４】
前記リップ部の主部の下面が、多角面状に形成されている、請求項１乃至３のいずれか一項に記載のルアー。
【発明の詳細な説明】
【技術分野】
【０００１】
本発明は、ホログラムシートがリップ部に設けられた釣り用のルアーに関する。
【背景技術】
【０００２】
従来、特許文献１のように、合成樹脂製のボディ（ルアー本体）と、前記ボディの頭部側に突出する合成樹脂製の透明なリップ部と、を有するルアーが知られている。
前記リップ部は、抵抗板などとも呼ばれ、水中にあるルアーを引っ張ったときに、水圧を受ける部分である。リップ部を有するルアーを水中にて引っ張ると、リップ部が抵抗となってルアーは所定深度まで潜り、その深度で進行する。ルアーの潜行深度は、リップ部の大きさ及びリップ部の突出角度などを設定することによって、調整できる。一般的には、リップ部が大きいほど、大きな水圧を受けるので、ルアーの潜行深度が大きくなる傾向にある。
【先行技術文献】
【特許文献】
【０００３】
【特許文献１】特開２００１−２９２６６２号
【発明の概要】
【０００４】
前記リップ部は、上述のように、水中の所定深度で潜行させる機能をルアーに付加するために、ボディに設けられる部分である。従って、リップ部は、本物の餌には存在しない部分である。このようなリップ部は、魚を引き付ける機能を有さず、むしろ、リップ部が存在するが故に、対象魚に無用な警戒心を与えてしまうおそれがある。
【発明が解決しようとする課題】
【０００５】
本発明の目的は、リップ部を利用して対象魚の誘引効果が高いルアーを提供することである。
【課題を解決するための手段】
【０００６】
本発明のルアーは、ボディと、前記ボディから突設されたリップ部と、を有し、前記リップ部に、ホログラムシートが具備されている。【０００７】
本発明の好ましいルアーは、前記リップ部の主部が透明であり、前記ホログラムシートが透明であり、前記透明なリップ部の主部に、前記透明なホログラムシートが取り付けられている。
本発明の好ましいルアーは、前記リップ部の主部が、前記ボディの前方部から突設されており、前記ホログラムシートが、前記リップ部の主部の表面に取り付けられている。
本発明の好ましいルアーは、前記リップ部の主部の下面が、多角面状に形成されている。
【発明の効果】
【０００８】
本発明のルアーは、ボディから突設されたリップ部にホログラムシートが具備されている。かかるルアーは、水中でホログラムシートが光を反射したり或いは反射しなかったりするので、対象魚にとって、ボディから離れた所（リップ部）で光が点滅しているように見える。このため、本発明のルアーは、対象魚の興味を惹きやすく、誘引効果に優れている。
また、本発明の好ましいルアーは、透明なリップ部の主部に透明なホログラムシートが取り付けられているので、対象魚に対してルアーを小さく見せる効果を有する。
【図面の簡単な説明】
【０００９】
【図１】本発明の第１実施形態に係るルアーの斜視図。
【図２】同ルアーを上方から見た平面図。
【図３】同ルアーの右側面図。
【図４】図１のＩＶ−ＩＶ線で切断した拡大断面図。
【図５】図３のＶ−Ｖ線で切断した拡大断面図。
【図６】第２実施形態に係るルアーを下方から見た底面図。
【図７】図６のＶＩＩ−ＶＩＩ線で切断した拡大断面図。
【図８】第３実施形態に係るルアーのリップ部の拡大断面図。
【図９】第４実施形態に係るルアーの側面図。
【図１０】第５実施形態に係るルアーの側面図。
【発明を実施するための形態】
【００１０】
以下、本発明について、図面を参照しつつ説明する。
本明細書において、方向を示す用語として、前後、上下を使用する。前方は、ルアーの使用時にライン（ミチ糸）に連結され、ラインによって引っ張られるルアーの進む側をいい、後方は、その反対側をいう。上方は、ルアーを前方から見て上側をいい、下方は、その反対側をいう。
【００１１】
［第１実施形態］
図１は、第１実施形態のルアーを前方の斜め上方から見た斜視図であり、図２は、図１のルアーを上方から下方に向かって見た平面図であり、図３は、図１のルアーを右側から見た側面図であり、図４及び図５は、リップ部を切断し且つ拡大した拡大断面図である。
【００１２】
図１乃至図５において、ルアー１Ａは、ボディ２と、前記ボディ２から突設されたリップ部３と、前記リップ部３に具備されたホログラムシート４と、を有する。
【００１３】
図示したボディ２においては、その外形が小魚を真似た形状とされている。もっとも、ボディ２の外形は、小魚に似た形状に限られず、海老を真似た形状、カエルを真似た形状などとしてもよい。また、ボディ２は、小魚などの自然物を真似た形状に限られず、任意の形状に形成してもよい。
さらに、ボディ２の外面に、無数の小さな窪み（ディンプル）が形成されていてもよい（図示せず）。ボディ２の表面が無数の小さな窪みを有することにより、ルアー１Ａを投げたときに、ルアー１Ａが空気抵抗を受け難くなる。
【００１４】
ボディ２は、それ自体、水（淡水及び海水を含む）に沈むように形成されていてもよく或いは、水に浮くように形成されていてもよい。好ましくは、ボディ２は、水に浮くように形成されている。
水に浮くボディ２の比重は、例えば、１未満であり、好ましくは０．９以下であり、より好ましくは０．８以下であり、特に好ましくは０．６以下である。
【００１５】
前記ボディ２の形成材料は、特に限定されず、従来公知の材料を用いることができる。ボディ２の形成材料としては、例えば、ＡＢＳ樹脂などの硬質合成樹脂、ウレタンなどの軟質合成樹脂、発泡ウレタンなどの発泡合成樹脂、木、及び２つ以上の素材を組み合わせた複合材料などが挙げられる。
ボディ２は、比重が１を超える形成材料で形成されていてもよく、或いは、比重が１未満の形成材料で形成されていてもよい。
ボディ２は、中空状であってもよいし、中実状であってもよい。なお、中実状のボディ２とは、その内部に空洞部を有しないボディである。
好ましくは、ボディ２は、その内部に空洞部を有する（つまり、中空状である）。内部に空洞部を形成することにより、比重が１を超える形成材料（例えば、ＡＢＳ樹脂など）を用いた場合でも、比重が１未満のボディ２を作製できる。中空状のボディ２は、例えば、ＡＢＳ樹脂などの硬質合成樹脂で形成される。
【００１６】
ボディ２の前方部には、ラインを締結するための環状のライン連結部６１が設けられている。ライン連結部６１は、例えば、ボディ２又はリップ部３から突設された環状部分からなる。
また、ボディ２の後方部には、釣り針７を係止するための釣り針連結部６２が設けられている。ボディ２の下方の中途部にも、同様に、釣り針７を係止するための釣り針連結部６３が設けられている。釣り針連結部６２及び釣り針連結部６３は、例えば、ボディ２から突設された環状部分からなる。
釣り針７は、例えば、フック状の釣り針（例えばトレブルフックなど）であり、前記釣り針連結部６２，６３にそれぞれ係止されている。
【００１７】
なお、特に図示しないが、ボディ２には、従来公知の構造が付与されていてもよい。ボディ２に付与される従来公知の構成としては、例えば、浮力調整のための重り、重心移動用のボール、衝撃音を生じるラトルボール、鰭（ヒレ）状の部材などが挙げられる。
【００１８】
リップ部３は、図１乃至図４に示すように、ボディ２の端部から突出されている。
例えば、リップ部３は、ボディ２の前方部から前方に向かって突設されている。
具体的には、リップ部３は、主として水圧を受ける部分である主部３１と、主部３１とボディ２を繋ぐコネクタ部３２と、を有する。
リップ部３の主部３１は、全体的に略板状である。リップ部３の主部３１の上面（上方の面）は、例えば、略平坦状に形成されている。なお、主部３１の上面が、略円弧面状或いは略三角屋根状などの多角面状に形成されていてもよい（図示せず）。
また、リップ部３の主部３１の下面（下方の面）は、略円弧面状に形成されている。なお、主部３１の下面が、略平坦状に形成されていてもよい（図示せず）。
コネクタ部３２の下面も、略円弧面状に形成されている。なお、コネクタ部３２の下面が略平坦状に形成されていてもよい（図示せず）。
コネクタ部３２の一方側は、ボディ２の前端部に固定され、コネクタ部３２の反対側は、主部３１の後端部から下面中央部にかけて固定されている。
【００１９】
リップ部３は、ボディ２と一体的に形成されていてもよく、或いは、ボディ２とは別体でもよい。
図示例のリップ部３は、ボディ２と一体的に形成されている。つまり、１つの材料を成形することによって、リップ部３とボディ２が形成されている。なお、一体的に形成されたリップ部３とボディ２は、構造上、両者の境界が明確に表われないが、図４に、一体的に形成されたリップ部３とボディ２の境界線を、便宜上、小破線で示している。
リップ部３は、透明又は不透明の何れでもよいが、少なくとも主部３１が透明であることが好ましく、さらに、主部３１及びコネクタ部３２が透明であることがより好ましい。リップ部３は、本物の餌には存在しない部分であり、主部３１の存在が魚に感知されると、対象魚に無用な警戒心を与えてしまうおそれがあるからである。透明なリップ部３は、対象魚から見え難く、特に、無色透明なリップ部３は、真水と同様な程に透き通っているので、対象魚に見え難くなる。
なお、リップ部３とボディ２が１つの材料で一体的に形成される場合には、通常、リップ部３とボディ２の透明性は同じになる。そのため、透明なリップ部３を形成した場合にはボディ２も透明になる。そのような透明なボディ２には、インキの塗布や模様シートの貼り付けなどによって、所望の装飾が施される（装飾は図示せず）。
ここで、本明細書において、ある部材が「透明」であるとは、黒色インキで任意の数字（大きさ１２ポイント）を印刷した白地の紙の上に、その部材を置き、その部材の表面側から前記数字を視認できる状態をいい、「不透明」は、前記と同じ条件で裏面側の数字を視認できない状態（数字を認識できない状態）をいう。「透明」は、無色透明又は有色透明（何らかの色が付いている透明な状態）のいずれかをいう。
【００２０】
リップ部３の主部３１は、上面側から見て、略楕円形状に形成されている。なお、主部３１は、平面視で略楕円形状に限られず、略長方形状、略三角形状、略円形状などの任意の形状に形成してもよい。
また、リップ部３は、図３に示すように、斜め下方に突設されている。斜め下方に突設されたリップ部３は、ボディ２の前後方向に対して鋭角を成して突出している。
ルアー１Ａの潜行深度は、リップ部３の主部３１の上面の大きさ（面積）、主部３１の形状及びリップ部３の突出角度などを適宜調整することによって設定できる。
なお、本実施形態では、ボディ２の前方側に突設されている前記リップ部３の上面に、ライン連結部６１が設けられている。
【００２１】
前記リップ部３には、ホログラムシート４が具備されている。ホログラムシートは、ホログラムフィルム、ホログラフィックシート、ホログラフィックフィルムなどとも呼ばれ、それ自体は公知なものである。
ホログラムシートは、ホログラム原理をシートに適用したものであって、入射した光を反射する性質を有する特殊なシートである。
ホログラムシート４は、見る角度によって光の反射（又は回折）が変化し、反射光又は／及び干渉縞によってきらきらと輝くように見えるシートをいう。
【００２２】
ホログラムシート４としては、透明なホログラムシート、或いは、不透明なホログラムシートのいずれを用いてもよいが、透明なホログラムシートを用いることが好ましい。
前記透明なホログラムシートは、そのシートの表面に対してある角度から見ると透明であるが（その裏面側を視認できる状態であるが）、見る角度を変えると光が反射して不透明となる（その裏面側を視認できない状態となる）ようなシートをいう。透明なホログラムシートは、見る角度によって反射光の色彩が異なる（反射光の波長が異なる）シートであることが好ましい。例えば、透明なホログラムシートは、表面に対して鉛直な方向から見ると透明であり、見る角度を変えると光が反射して不透明となり、見る角度によって反射光の色彩が異なるものが好ましく、さらに、表面に対して鉛直な方向から見ると無色透明であり、見る角度を変えると光が反射して不透明となり、見る角度によって反射光の色彩が異なるものがより好ましい。
前記不透明なホログラムシートは、そのシートの表面に対していずれの角度から見ても光が反射して不透明であり、見る角度によって反射光の色彩が異なる（反射光の波長が異なる）ようなシートをいう。
【００２３】
ホログラムシート４は、好ましくはリップ部３の表面に取り付けられている。取り付け手段は、特に限定されず、例えば、粘着剤や接着剤などを用いた貼り付け、熱転写（いわゆるホットスタンプ）による貼り付けなどが挙げられる。
本実施形態では、ホログラムシート４は、リップ部３の表面に接着剤を用いて貼り付けられている。なお、リップ部３の表面は、リップ部３の主部３１の上面及び下面を含んでおり、本実施形態では、ホログラムシート４は、リップ部３の主部３１の表面のうち上面に貼り付けられている。
ホログラムシート４は、リップ部３の主部３１の上面の略全体に設けられていてもよく、或いは、主部３１の上面の一部分に設けられていてもよい。
リップ部３の主部３１の上面からライン連結部６１が突設されている本実施形態にあっては、ホログラムシート４は、ライン連結部６１の周囲を除いて、リップ部３の主部３１の上面の略全体に取り付けられている。
【００２４】
ホログラムシート４の厚みは、特に限定されず、例えば、１０μｍ〜１ｍｍであり、好ましくは、２０μｍ〜３００μｍである。
【００２５】
上記ルアー１Ａは、ライン連結部６１にラインを結んで使用される。ルアー１Ａを水中にキャストして着水させた後、ルアー１Ａを引っ張ると（ルアー１Ａをリトリーブすると）、ラインに引かれたルアー１Ａは、リップ部３が抵抗を受け、水中の所定深度にまで潜り、その深度で遊泳するようになる。
本発明のルアー１Ａは、ボディ２から突設されたリップ部３にホログラムシート４が具備されているので、水中で、ボディ２から離れた所（リップ部３）にて、ホログラムシート４が対象魚の居る方向に光を反射し及び反射しなかったりする。このようなホログラムシート４の光の反射及び非反射は、対象魚にとって、ボディ２から離れた所で、光が点滅しているように見える（以下、対象魚が、光が点滅しているように見えることを「フラッシング作用」という場合がある）。このため、対象魚が興味を示し、対象魚をルアー１Ａの方へ誘引できるようになる。
特に、透明なリップ部３に透明なホログラムシート４が具備されているので、前記フラッシング作用が大きくなる。
【００２６】
詳しくは、一般に、ルアーによる対象魚の誘引は、ルアーが着水から所定深度にまで潜る段階、ルアーが所定深度で進行する段階、ルアーが対象魚に最接近した段階、に大別できる。
【００２７】
従来のルアーは、ルアーが着水してから所定深度にまで潜る段階では、対象魚を誘引できない。つまり、従来のルアーにあっては、ルアーが着水してから所定深度にまで潜る段階は、無駄な時間になっている。この点、本発明のルアー１Ａは、着水してから所定深度にまで潜る段階でも、フラッシング作用により、対象魚を惹き付けることができ、１回のキャストで対象魚を誘引する時間が長くなる。
【００２８】
また、ブラックバスやシーバスなどの対象魚は、水中で物陰に寄り添い、餌となる小魚を待ち受けるという習性がある。このため、対象魚よりもルアーを遠くにキャストし、そのルアーを対象魚側に引き寄せるようにリトリーブすることが多い。この場合、ルアーは、その前方部から対象魚に近づくようになる。つまり、ルアーが所定深度で進行する段階では、ルアーの前方部から対象魚に近寄っていくようにルアーをリトリーブすることが多い。この点、本発明のルアー１Ａは、ボディ２の前方部から突設されたリップ部３にホログラムシート４が具備されているので、対象魚には、光点滅したルアー１Ａが近づいて来るように見える。このため、対象魚がルアー１Ａに気付き易く且つ興味を示し易くなる。
リトリーブを行うと、ルアー１Ａは左右に揺れながら進行する。前記ルアー１Ａは、透明なリップ部３に透明なホログラムシート４が具備されているので、ある角度では反射が抑えられてホログラムシート４が透明な状態となり、角度が変わると、ホログラムシート４から光が反射される。かかるルアー１Ａは、前方に居る対象魚に対して、光点滅によってアピールしつつ、透明な状態のホログラムシート４と透明なリップ部３により、リップ部３が対象魚から見えなくなることにより、前記対象魚に対してルアーを小さく見せる効果を有する。
【００２９】
ルアーが対象魚に最接近した段階においては、対象魚とルアーは、ほぼ横並び状態（水平位置に近い状態）となる。この点、ルアー１Ａに対象魚が最接近すると、対象魚からは本発明のルアー１Ａのリップ部３による光の反射及び非反射が見え難くなる。つまり、ルアー１Ａが対象魚に最接近した段階ではフラッシング作用が弱まり、ホログラムシート４の存在が判り難くなる。また、リップ部３が透明であるため、ルアー１Ａが対象魚に最接近した段階では、対象魚は、リップ部３及びホログラムシート４の存在に気付き難く、ルアー１Ａに食い付き易くなる。
【００３０】
なお、ボディ内にホログラムシートを具備させたルアーよりも、本発明のように、リップ部３にホログラムシート４を具備させたルアー１Ａの方が対象魚の誘引効果に優れている。
通常、ボディは、小魚などの餌（対象魚の餌）に似せるために、インキ塗装や模様シートなどで装飾されており、光の反射率が小さい。また、近年では、対象魚もルアーに慣れてきており、対象魚の餌の形状を模倣したボディが光を反射及び非反射しても、大きな興味を示さなくなってきている傾向にある。この点、本発明のルアー１Ａは、ボディ２から突出した部分であるリップ部３にホログラムシート４を設けることにより、ボディ２そのものでなく、ボディ２から離れた所でフラッシング作用を生じるものとなる。特に、無色透明なリップ部３にあっては、対象魚はリップ部３が見えないので、ボディ２から完全に分離した所で、フラッシング作用を生じる。このため、ボディにホログラムシートが具備されているルアーよりも、リップ部にホログラムシートを具備させた本発明のルアーの方が対象魚の興味を惹き易くなる。
特に、リップ部３の主部３１の上面が略平坦状で、その上面にホログラムシート４が貼り付けられているルアー１Ａにあっては、太陽光が水中のホログラムシート４に当たり易く、フラッシング作用を大きくできる。
【００３１】
本発明のルアーは、上記第１実施形態に示したような構造に限られず、様々な構造に変更できる。以下、上記第１実施形態と異なる構成を主として説明し、上記第１実施形態と同様の構成については、その説明を省略し、用語及び符号をそのまま援用する。
【００３２】
［第２実施形態］
図６は、第２実施形態のルアーを下方から上方に向かって見た底面図であり、図７は、そのリップ部を切断し且つ拡大した拡大断面図である。
第２実施形態のルアー１Ｂは、ホログラムシート４がリップ部３の下面に貼り付けられている。リップ部３のコネクタ部３２は、主部３１の下面から盛り上がっているので、図示例では、ホログラムシート４は、リップ部３のコネクタ部３２を除いて、主部３１の下面の略全体に設けられている。もっとも、ホログラムシート４が、主部３１の下面の一部分に取り付けられていてもよい（図示せず）。
第２実施形態のルアー１Ｂは、ホログラムシート４が設けられている位置を除いて、第１実施形態と同様である。
第２実施形態のルアー１Ｂも、フラッシング作用により、対象魚の誘引効果に優れている。
第２実施形態のルアー１Ｂは、リップ部３の主部３１の下面にホログラムシート４が取り付けられているので、ルアー１Ｂが海底の岩や沈んだ異物に接触しても、ホログラムシート４が外れ難いという効果を有する。
なお、特に図示しないが、ホログラムシート４が、主部３１の上面及び下面の双方に貼り付けられていてもよい。
【００３３】
［第３実施形態］
図８は、第３実施形態のルアーのリップ部を切断し且つ拡大した拡大断面図である。この断面図は、第３実施形態のルアーのリップ部を、図３のＶ−Ｖ線と同様の箇所で切断したものである。
上記第１及び第２実施形態のルアーのリップ部３は、その下面（下方の面）が略円弧面状に形成されているが、例えば、図８に示すように、リップ部３の下面が多角面状に形成されていてもよい。なお、多角面状は、立体的に多角面であり、断面視では多角線状となる。図示例では、リップ部３の下面が三角面状に形成された場合を例示しているが、二角面状（三角屋根状）、四角面状、五角面状、六角面状などに形成されていてもよい。
なお、特に図示しないが、コネクタ部３２の下面が、多角面状に形成されていてもよい。
リップ部３の下面及びコネクタ部３２の下面のうち少なくとも一方が多角面状に形成されていることにより、プリズム効果により、ホログラムシート４からの反射光が分散され易くなる。
【００３４】
［第４実施形態］
図９は、第４実施形態のルアー１Ｃを示す。
第４実施形態のルアー１Ｃは、第１乃至第３実施形態のルアーと比べて、次の点が異なり、第４実施形態のその余の構成は、第１乃至第３実施形態と同様である。
第４実施形態のルアー１Ｃは、ボディ２の形状が前後方向に細長い形状であり、リップ部３が比較的小さく、さらに、釣り針７として傘針７１がボディ２に固定的に取り付けられている。また、本実施形態は、ライン連結部６１がボディ２から突設されたルアーを図示している。
第４実施形態のルアー１Ｃも、フラッシング作用により、対象魚の誘引効果に優れている。
【００３５】
［第５実施形態］
図１０は、第５実施形態のルアー１Ｄを示す。
第５実施形態のルアー１Ｄは、ボディ２が海老を真似た形状に形成されている点において第１乃至第４実施形態のルアーと異なり、その余の構成は、第１乃至第４実施形態と同様である。
第５実施形態のルアー１Ｄも、フラッシング作用により、対象魚の誘引効果に優れている。
【００３６】
その他、本発明は、上記様々な実施形態から選ばれる２つ以上の実施形態を適宜組み合わせてもよく、或いは、上記様々な実施形態から選ばれる１つ又は２つ以上の構成を、それ以外の実施形態に置換してもよい。
【産業上の利用可能性】
【００３７】
本発明のルアーは、ブラックバス、シーバス、シイラ、タコ、烏賊などの各種の釣りに使用できる。
【符号の説明】
【００３８】
１Ａ，１Ｂ，１Ｃ，１Ｄ  ルアー
２  ボディ
３  リップ部
４  ホログラムシート
【図１】
2019220602.tif 000003
【図２】
2019220602.tif 000004
【図３】
2019220602.tif 000005
【図４】
2019220602.tif 000006
【図５】
2019220602.tif 000007
【図６】
2019220602.tif 000008
【図７】
2019220602.tif 000009
【図８】
2019220602.tif 000010
【図９】
2019220602.tif 000011
【図１０】
2019220602.tif 000012
【国際調査報告】
2019220602.tif 000013
2019220602.tif 000014
2019220602.tif 000015
2019220602.tif 000016